(57)【特許請求の範囲】
【請求項１】
記録用ディスクと、
その記録用ディスクを回転可能に収納し、所定の位置にヘッド挿入部ならびに駆動軸挿入部を有するインナーケースと、
そのインナーケースを出し入れ可能に収納し、所定の位置にインナーケースの出入口と、その出入口を開閉する蓋部材を設けたアウターケースとを備えたディスクカートリッジにおいて、
前記インナーケースは、その表面に、前記記録用ディスクの識別を行う貫通孔と当該貫通孔を開閉する位置に移動可能な移動子を備え、
前記アウターケースは、その内側において前記インナーケースの前記移動子と接離可能に係合する伝達部と、この伝達部と当該アウターケースを貫通する軸部を介して連結され、当該アウターケースの外側に取り付けられた操作部とを備え、
前記インナーケースを前記アウターケース内に収納した状態で、前記移動子が前記伝達部と係合し、前記操作部を動かすことにより伝達部を介して移動子が所望の位置まで移動するように構成されていることを特徴とするディスクカートリッジ。
【請求項２】
請求項１記載において、前記移動子がライトプロテクトであることを特徴とするディスクカートリッジ。
【請求項３】
請求項１記載において、前記操作部が回動式になっていることを特徴とするディスクカートリッジ。
【請求項４】
請求項１記載において、前記伝達部と移動子が歯部どうしで係合するようになっていることを特徴とするディスクカートリッジ。
【請求項５】
記録用ディスクが回転可能に収納できるとともに、所定の位置にヘッド挿入部ならびに駆動軸挿入部を有するインナーケースと、
そのインナーケースを出し入れ可能に収納し、所定の位置にインナーケースの出入口と、その出入口を開閉する蓋部材を設けたアウターケースとを備えたディスク用カートリッジにおいて、
前記インナーケースは、その表面に、前記記録用ディスクの識別を行う貫通孔と当該貫通孔を開閉する位置に移動可能な移動子を備え、
前記アウターケースは、その内側において前記インナーケースの前記移動子と接離可能に係合する伝達部と、この伝達部と当該アウターケースを貫通する軸部を介して連結され、当該アウターケースの外側に取り付けられた操作部とを備え、
前記インナーケースを前記アウターケース内に収納した状態で、前記移動子が前記伝達部と係合し、前記操作部を動かすことにより伝達部を介して移動子が所望の位置まで移動するように構成されていることを特徴とするディスク用カートリッジ。
【請求項６】
請求項５記載において、前記移動子がライトプロテクトであることを特徴とするディスク用カートリッジ。
【請求項７】
請求項５記載において、前記操作部が回動式になっていることを特徴とするディスク用カートリッジ。
【請求項８】
請求項５記載において、前記伝達部と移動子が歯部どうしで係合するようになっていることを特徴とするディスク用カートリッジ。
【発明の詳細な説明】
【０００１】
【発明の属する技術分野】
本発明は、例えば光ディスク、光−磁気ディスクなどの記録用ディスクを使用して情報の記録／再生を行なう記録／再生システムに用いるディスクカートリッジならびにディスク用カートリッジに関するものである。
【０００２】
【従来の技術】
従来より、記録用ディスクをカートリッジケースに収納した状態でディスクドライブ装置に装着したり、あるいは記録用ディスクをカートリッジケースから取り出して、記録用ディスクだけをディスクドライブ装置に装着する構成のディスクカートリッジが開発されている。
【０００３】
図１２は、この種ディスクカートリッジの概略構成図である。同図に示されているように、記録用ディスク１００を回転可能に収納するカートリッジケース１０１のシャッタ１０２が取り付けられている前面側と対向する後面側にディスク取り出し口１０３が形成されている。そしてこのディスク取り出し口１０３は、カートリッジケース１０１に回動可能またはスライド可能（この例の場合は回動可能）に取り付けられた蓋部材１０４によって開閉される。ディスク取り出し口１０３の閉塞状態は、図示していないがカートリッジケース１０１と蓋部材１０４の間に設けられたロック機構によって維持される。図中の１０５は、カートリッジケース１０１に設けられたヘッド挿入部と駆動軸挿入部を連設した開口部１０５で、前記シャッタ１０２により開閉される。
【０００４】
記録用ディスク１００をカートリッジケース１０１に収納した状態でディスクドライブ装置に装着する場合は、カートリッジケース１０１のディスク取り出し口１０３を蓋部材１０４で閉塞した状態で、ディスクカートリッジをディスクドライブ装置に装着すれば、シャッタ１０２が自動的に開き、カートリッジケース１０１に収納されたままの状態で、記録用ディスク１００に対して情報の記録／再生が行なわれる。
【０００５】
一方、記録用ディスク１００だけをディスクドライブ装置に装着する場合は、蓋部材１０４を回動またはスライドしてカートリッジケース１０１のディスク取り出し口１０３を開き、記録用ディスク１００をカートリッジケース１０１から取り出し、ディスクドライブ装置に装着して情報の記録／再生が行なわれる。情報の記録／再生が終了すると、記録用ディスク１００をカートリッジケース１０１へ収納して、蓋部材１０４でディスク取り出し口１０３を閉じる。
【０００６】
これに関連する技術として例えば特開昭６０−１２４０７４号公報、特開平５−２４２６２６号公報、特開平６−１２８１４号公報、特開平９−２３１７０８号公報、特開平９−２６５７５３号公報、特開平９−２９３３５４号公報、特開平９−２９３３５５号公報、特開平９−２９７９７７号公報などに記載された発明がある。
【０００７】
【発明が解決しようとする課題】
ところで従来のこの種のディスクカートリッジは、記録用ディスク１００を収納するカートリッジケース１０１が一重構造であって、図１２に示すように開口部１０５がシャッタ１０２により開閉され、ディスク取り出し口１０３が蓋部材１０４により開閉される構成になっており、しかもシャッタ１０２と蓋部材１０４が外側に露呈している。
【０００８】
そしてシャッタ１０２ならびに蓋部材１０４はスムーズなスライド動作ならびに回動動作が行なわれるようにカートリッジケース１０１との間にはある程度の隙間が形成されている。
【０００９】
そのためこの隙間から微細な塵埃類がカートリッジケース１０１内に侵入し、それが記録用ディスク１００に付着して、記録／再生エラーの原因になる。
【００１０】
近年、記録用ディスクの大容量化が進められており、例えば光−磁気ディスクの場合、５ギガ程度の記憶容量を持つものに対して、近年では約２倍の１０ギガ程度の記憶容量を持つものの開発が進められている。このように記憶容量が大きくなるということは、記録用ディスク１００上での記録密度がそれに応じて高くなることであり、そうなると極く微細な塵埃が記録用ディスク１００上に付着しても記録／再生エラーの原因となるから、極く微細な塵埃類であってもカートリッジケース１０１への侵入を確実に阻止することが重要となる。
【００１１】
このような背景から、塵埃の侵入を防止するため二重構造のディスクカートリッジ、即ち、内部に記録用ディスクを収納したインナーケースと、このインナーケースが収納されるアウターケースとを備えたディスクカートリッジが検討されている。
【００１２】
この二重構造のディスクカートリッジにおいては、ディスクドライブ装置内にインナーケースが装着され、インナーケースに付設されているライトプロテクトの状態が検出されて、情報の書き込み禁止あるいは書き込み許可の制御がなされる。
【００１３】
ここで前記ライトプロテクトを、情報の書き込み禁止状態あるいは書き込み許可状態に設定するのに、インナーケースをアウターケースから取り出して、ライトプロテクトを書き込み禁止位置あるいは書き込み許可位置に移動操作していた。従って、インナーケースをアウターケースから取り出す際、あるいは再びインナーケースをアウターケースに収納する際に、塵埃の付着、侵入があり、二重構造のカートリッジケースの効果が十分に発揮されないという欠点がある。
【００１４】
本発明の目的は、このような従来技術の欠点を解消し、極く微細な塵埃類であってもカートリッジケースへの侵入が確実に阻止できるディスクカートリッジならびにディスク用カートリッジを提供することにある。
【００１５】
【課題を解決するための手段】
前記目的を達成するため、第１の本発明は、例えば光ディスクなどの記録用ディスクと、その記録用ディスクを回転可能に収納し、所定の位置にヘッド挿入部ならびに駆動軸挿入部を有するインナーケースと、そのインナーケースを出し入れ可能に収納し、所定の位置にインナーケースの出入口と、その出入口を開閉する蓋部材を設けたアウターケースとを備えたディスクカートリッジを対象とするものである。
【００１６】
そして前記アウターケースの外側に取り付けられた例えば後述の操作摘みなどの操作部と、そのアウターケースの内側に取り付けられて、前記操作部と連動する例えば後述の駆動側歯部などの伝達部と、前記インナーケースに取り付けられ、前記伝達部と離接可能に係合し、例えば後述の書込み禁止位置ならびに書込み許可位置などの所定の位置に移動する例えば後述の従動側歯部などの移動子とを備え、
そのインナーケースをアウターケース内に収納した状態で、前記移動子が前記伝達部と係合し、前記操作部を動かすことにより伝達部を介して移動子が所望の位置まで移動するように構成されていることを特徴とするものである。
【００１７】
前記目的を達成するため、第２の本発明は、例えば光ディスクなどの記録用ディスクを回転可能に収納できるとともに、所定の位置にヘッド挿入部ならびに駆動軸挿入部を有するインナーケースと、そのインナーケースを出し入れ可能に収納し、所定の位置にインナーケースの出入口と、その出入口を開閉する蓋部材を設けたアウターケースとを備えたディスク用カートリッジを対象とするものである。
【００１８】
そして前記アウターケースの外側に取り付けられた例えば後述の操作摘みなどの操作部と、そのアウターケースの内側に取り付けられて、前記操作部と連動する例えば後述の駆動側歯部などの伝達部と、前記インナーケースに取り付けられ、前記伝達部と離接可能に係合し、例えば後述の書込み禁止位置ならびに書込み許可位置などの所定の位置に移動する例えば後述の従動側歯部などの移動子とを備え、
そのインナーケースをアウターケース内に収納した状態で、前記移動子が前記伝達部と係合し、前記操作部を動かすことにより伝達部を介して移動子が所望の位置まで移動するように構成されていることを特徴とするものである。
【００１９】
【発明の実施の形態】
第１，第２の本発明は前述したように、アウターケースの外側に取り付けられた操作部と、そのアウターケースの内側に取り付けられて、前記操作部と連動する伝達部と、前記インナーケースに取り付けられ、前記伝達部と離接可能に係合し、所定の位置に移動する移動子とを備え、そのインナーケースをアウターケース内に収納した状態で、前記移動子が前記伝達部と係合し、前記操作部を動かすことにより伝達部を介して移動子が所望の位置まで移動するように構成されている。
【００２０】
従ってインナーケースをアウターケース内に収納したままの状態で、アウターケースの外側から操作部を操作して、移動子を所望の位置に移動することができ、インナーケースをアウターケースから取り出す必要がないので、塵埃の付着、侵入防止効果が確実である。
【００２１】
ここで移動子の機能としては、書き込み禁止あるいは書き込み許可を行うライトプロテクトの他に、例えばディスクの記録容量の識別、ディスクの片面記録と両面記録の識別などが挙げられる。
【００２２】
次に本発明の実施の形態に係る情報の記録／再生システムならびにそれに用いるディスクカートリッジを図に基づいて説明する。図１はそのディスクカートリッジの未使用時の斜視図、図２はそのディスクカートリッジの未使用時の断面図、図３はインナーケースを一部取り出した状態でのディスクカートリッジの斜視図、図４はインナーケースを一部取り出した状態でのディスクカートリッジの平面図、図５は図４Ｘ−Ｘ線上での断面図、図６はインナーケースを一部取り出した状態でのディスクカートリッジの一部を断面した平面図、図７は図４Ｙ−Ｙ線上での拡大断面図、図８は本発明の実施の形態に係る情報の記録／再生システムの概略構成図である。
【００２３】
まず本発明の実施の形態に係る情報の記録／再生システムの概略構成について図８とともに説明する。この記録／再生システムに用いるディスクカートリッジは、例えば光ディスクなどの記録用ディスク１と、その記録用ディスク１を回転可能に収納した合成樹脂の成形体からなるインナーケース２と、そのインナーケース２を出し入れ可能に収納した合成樹脂の成形体からなるアウターケース３とから主に構成されている。
【００２４】
このアウターケース３の所定の位置、すなわちそれの一側面には前記インナーケース２の出入口４が形成され、その出入口４は内開き式の蓋部材５で開閉される。図示していないが、蓋部材５はバネによって閉塞方向に常に弾性付勢されている。
【００２５】
ディスクカートリッジの不使用時には、図８（ａ）の右側部分に示されているように、前記アウターケース３内にインナーケース２が収納されて、アウターケース３の出入口４が蓋部材５によって閉塞され、二重構造になって記録用ディスク１が保存されている。
【００２６】
そしてディスクカートリッジを使用する時には、図８（ａ）の左側部分に示されているように、インナーケース２を収納したままの状態でアウターケース３の出入口４側をディスクドライブ装置６の挿入口７に差し込む。そしてローディング機構（図示せず）によりアウターケース３の蓋部材５を内側に開き、インナーケース２をアウターケース３から取り出し、それをディスクドライブ装置６のターンテーブル８上に装着して、アウターケース２内の記録用ディスク１に対して情報の記録／再生が行なわれる。
【００２７】
情報の記録／再生が行なわれているときには、アウターケース３はディスクドライブ装置６から外されている。情報の記録／再生が終了すると、空のアウターケース３を挿入口７に差し込むと、それをセンサー（図示せず）で検出してローディング機構によりインナーケース２がターンテーブル８から外されて、アウターケース３内に押し込まれる。蓋部材５は内開き式になっているから、インナーケース２をアウターケース３から取り出すときにはローディング機構の一部をアウターケース３に差し込むことにより、また、インナーケース２をアウターケース３に挿入するときにはインナーケース２の差し込みにより、蓋部材５は自動的に開くことができる。このように蓋部材５の開閉動作ならびにインナーケース２の出し入れは、ディスクドライブ装置６内で行なわれる。
【００２８】
次にディスクカートリッジの具体的な構造について説明する。図２に示すように記録用ディスク１の中央部には、金属製あるいは合成樹脂製のハブ９が一体に固着されている。
【００２９】
インナーケース２の上面にはヘッド挿入口１０が形成され、下面にはヘッド挿入口と駆動軸挿入口が一体に連通した開口１１が形成されている。必要に応じてインナーケース２の内面にクリーニングシートを貼着することもできる。
【００３０】
図２に示すようにアウターケース３内には、前記ヘッド挿入口１０を開閉する上側シャッター１２と、開口１１を開閉する下側シャッター１３とが取り付けられ、両シャッター１２，１３はコイルスプリング１４によってインナーケース２の表面に密着するように弾性付勢されている。前記シャッター１２，１３の先端部１２ａ，１３ａは、インナーケース２の挿入をスムーズにするため若干傾斜している。
【００３１】
アウターケース３の内側には、アウターケース３内でのインナーケース２のがたつきを防止するための緩衝体１５が適所（本実施の形態では図６に示すように四隅）に設けられている。緩衝体１５は例えばゴム、発泡プラスチック、不織布、プラスチックシート、プラスチック板、板バネ、熱可塑性エラストマーなどから構成され、インナーケース２の挿入に妨げにならないように図９に示すように傾斜面１６が形成されている。なお、図２に示すようにコイルスプリング１４でインナーケース２側に押圧されたシャッター１２，１３も、インナーケース２のがたつきを防止する緩衝機能を有している。
【００３２】
アウターケース３の外表面には、操作摘み１７が回転可能に取り付けられ、操作摘み１７の付近に記録用ディスク１に対する情報の書込み禁止や書込み許可などを表示する表示部１８が設けられている。本実施形態の場合、表示部１８ａが書込み禁止位置、表示部１８ｂが中立位置、表示部１８ｃが書込み許可位置となっている。前記操作摘み１７は図７に示すようにそれの軸部１９がアウターケース３を貫通し、軸部１９の下端には駆動側歯部２０が設けられている。図１０ならびに図１１に示すように、この駆動側歯部２０は約半周の領域に形成されている。
【００３３】
この駆動側歯部２０と噛合する従動側歯部２１が、ピン２２を介してインナーケース２の表面に回転可能に取り付けられている。この従動側歯部２１も駆動側歯部２０と対向する約半周の領域に形成されている。従動側歯部２１には透孔２３が形成され、また図１０ならびに図１１に示すように、透孔２３の回動領域内の２個所に貫通孔２４ａ，２４ｂが形成されている。この貫通孔２４ａ（２４ｂ）は図７に示すように、インナーケース２の上側と下側の同一個所にそれぞれ形成されている。本実施形態の場合、前記表示部１８ａに合わせて貫通孔２４ａが書込み禁止位置、貫通孔２４ｂが書込み許可位置となっている。
【００３４】
インナーケース２をアウターケース３内に収納した状態では図１１に示すように駆動側歯部２０に対して従動側歯部２１が噛合しており、通常、透孔２３は貫通孔２４ａと貫通孔２４ｂの中間位置にある。従って図４に示すように操作摘み１７の指標部２５は、表示部１８の中間位置１８ｂの方向に向いている。
【００３５】
記録用ディスク１に対する情報の書込みを禁止したい場合、操作摘み１７を指で摘んで指標部２５が書込み禁止位置１８ａの方向を向くように時計回り方向に回動する。この回動動作で駆動側歯部２０を介して従動側歯部２１が反時計回り方向に回動し、図７ならびに図１０に示すように透孔２３が貫通孔２４ａの上に来て、貫通孔２４ａが開き、貫通孔２４ｂは従動側歯部２１の一部によって塞がれている。
【００３６】
この状態で図８に示すようにアウターケース３ごとディスクドライブ装置６に差し込むと、ローディング機構によりインナーケース２がターンテーブル８に装着さる。インナーケース２をアウターケース３から抜き出すことにより、インナーケース２側にある従動側歯部２１は図１０の状態で駆動側歯部２０から離れ、貫通孔２４ａは開いたままになっている。この貫通孔２４ａの開いた状態をインナーケース２の上側と下側に配置された透過型のフォトセンサ（図示せず）で検出し、その検出信号をディスクドライブ装置６の制御部に入力して記録用ディスク１に対する情報の書込みを禁止する。
【００３７】
情報の読出し動作が終了して、インナーケース２をアウターケース３に収納すると、従動側歯部２１は図１０の状態のように駆動側歯部２０と噛合する。記録用ディスク１に対する情報の書込みを許可したい場合、操作摘み１７を書込み許可位置１８ｃ側に回動する。この回動動作で駆動側歯部２０を介して従動側歯部２１が時計回り方向に回動し、透孔２３が貫通孔２４ｂの上に来る。このようにして貫通孔２４ｂが開いて、貫通孔２４ａは従動側歯部２１の一部によって塞がれる。貫通孔２４ｂが開いた状態を光学的に検出し、ディスクドライブ装置６の制御部に書込み許可信号を入力して、書込み可能な状態とする。
【００３８】
本実施の形態では従動側歯部２１を回動する例を示しているが、駆動側歯部と対向する側端部にラック歯を設けたスライダを用い、駆動側歯部によってスライダを直線上で移動させて、貫通孔を開閉するなど、他の構成をとることも可能である。
また、本実施の形態では、記録用ディスクを収納したディスクカートリッジについて説明したが、当該ディスクカートリッジから前記記録用ディスクを除いたアウターケース及びインナーケースの形状及び構造のアウターケース及びインナーケースで構成するディスク用カートリッジ（本願発明の請求項５〜８に対応）についても同様である。
【００３９】
【発明の効果】
請求項１，５記載の本発明は、アウターケースの外側に取り付けられた操作部と、そのアウターケースの内側に取り付けられて、前記操作部と連動する伝達部と、前記インナーケースに取り付けられ、前記伝達部と離接可能に係合し、所定の位置に移動する移動子とを備え、そのインナーケースをアウターケース内に収納した状態で、前記移動子が前記伝達部と係合し、前記操作部を動かすことにより伝達部を介して移動子が所望の位置まで移動するように構成されている。
【００４０】
従ってインナーケースをアウターケース内に収納したままの状態で、アウターケースの外側から操作部を操作して、移動子を所望の位置に移動することができ、インナーケースをアウターケースから取り出す必要がないので、塵埃の付着、侵入防止効果が確実である。
【００４１】
請求項２，６記載の本発明は、移動子をライトプロテクトとして用いているから、記録用ディスクに対する情報の書込み禁止あるいは書込み許可の操作がアウターケースの外側からできる。
【００４２】
請求項３，７記載の本発明は、操作部が回動式になっているおり、操作部がスライド式のものに比べて、操作部の開口面積が少ないから、開口からの塵埃の侵入が極めて少ないという効果がある。
【００４３】
請求項４，８記載の本発明は、伝達部と移動子が歯部どうしで係合するようになっているから、伝達部から移動子への駆動力の伝達が確実に行われるという効果がある。
【図面の簡単な説明】
【図１】本発明の実施の形態に係るディスクカートリッジの未使用時の斜視図である。
【図２】そのディスクカートリッジの未使用時の断面図である。
【図３】インナーケースを一部取り出した状態でのディスクカートリッジの斜視図である。
【図４】インナーケースを一部取り出した状態でのディスクカートリッジの平面図である。
【図５】図４Ｘ−Ｘ線上での断面図である。
【図６】インナーケースを一部取り出した状態でのディスクカートリッジの一部を断面した平面図である。
【図７】図４Ｙ−Ｙ線上での拡大断面図である。
【図８】本発明の実施の形態に係る情報の記録／再生システムの概略構成図である。
【図９】アウターケースの出入口付近の一部斜視図である。
【図１０】駆動側歯部と従動側歯部との噛合状態を示す一部平面図である。
【図１１】駆動側歯部と従動側歯部との噛合状態を示す一部平面図である。
【図１２】従来提案されたディスクカートリッジの概略構成図である。
【符号の説明】
１  記録用ディスク
２  インナーケース
３  アウターケース
４  出入口
５  蓋部材
６  ディスクドライブ装置
７  挿入口
８  ターンテーブル
９  ハブ
１０  ヘッド挿入口
１１  開口
１２  上側シャッター
１３  下側シャッター
１４  コイルスプリング
１５  緩衝体
１６  傾斜面
１７  操作摘み
１８  表示部
１９  軸部
２０  駆動側歯部
２１  従動側歯部
２２  ピン
２３  透孔
２４ａ，２４ｂ  貫通孔
２５  指標部
【図１】
0003718601.tif 000002
【図２】
0003718601.tif 000003
【図３】
0003718601.tif 000004
【図４】
0003718601.tif 000005
【図５】
0003718601.tif 000006
【図６】
0003718601.tif 000007
【図７】
0003718601.tif 000008
【図８】
0003718601.tif 000009
【図９】
0003718601.tif 000010
【図１０】
0003718601.tif 000011
【図１１】
0003718601.tif 000012
【図１２】
0003718601.tif 000013